(57)【特許請求の範囲】
【請求項１】
Ｌｃｈオーディオ信号レベルを検出する第１レベル検出手段と、
Ｒｃｈオーディオ信号レベルを検出する第２レベル検出手段と、
第１レベル検出手段と第２レベル検出手段の内、レベルの大きい方を判別して値を出力する判別手段と、
第１の表示層と第２の表示層を重ね合わせた二層の表示層を有し、第１の表示層にはＬｃｈのレベルを表示する第１の領域とＲｃｈのレベルを表示する第２の領域との２つの領域が並べて配置され、前記２つの領域の片方には第２の表示層の文字表示をする領域が重ね合わされたレベル表示手段と、
レベル表示手段に対するＬｃｈオーディオ信号レベルとＲｃｈオーディオ信号レベルのレベル表示制御をするレベル表示制御手段と、
動作モードに応じて前記レベル表示制御手段にレベル表示の指示をする制御手段と、
を備え、
前記制御手段は、前記第２の表示層の前記文字表示をする領域での文字表示を伴う動作モードに移行したとき、前記レベル表示制御手段に指示して前記判別手段の出力に基づくレベル表示を、前記レベル表示手段の前記第１の表示層の前記２つの領域の内、前記第２の表示層の前記文字表示をする領域と重なっていないチャンネルの側の領域にさせ、文字表示をする領域と重なるチャンネル側の領域のレベル表示を消させるようにしたこと、
を特徴とするレベル表示装置。
【発明の詳細な説明】
【０００１】
【発明の属する技術分野】
本発明はレベル表示装置に係り、とくに単体でオーディオシステムと組み合わせられたり、またはＣＤプレーヤ、ＭＤレコーダ、ＤＶＤプレーヤ等に内蔵されたりして、オーディオ信号のレベルを検出して表示するレベル表示装置に関する。
【０００２】
【従来の技術】
ＭＤ（ミニディスク）を対象として記録／再生をするＭＤレコーダは、再生時、ＭＤに記録された圧縮オーディオデータを読み出し、伸長したのちＤ／Ａ変換し、２ｃｈのアナログのオーディオ信号を出力する。また、録音時、外部から入力した２ｃｈのアナログのオーディオ信号をＡ／Ｄ変換したのち圧縮し、該圧縮オーディオデータをＭＤに記録する。
ＭＤからテープへ、またテープからＭＤへダビングを行う場合、録音レベルの調整をしないと、録音したオーディオ信号のピークが歪んでしまう事がある。このため、ＭＤレコーダには、ＬｃｈとＲｃｈのオーディオ信号のレベルを独立してグラフィックに表示するレベルメータが付設してあり、ＭＤから再生したオーディオ信号のレベル、またはＭＤへ録音しようとするオーディオ信号のレベルが一目で視認できるようになっている。
【０００３】
図１０はＭＤレコーダの表示パネルの一例であり、２ｃｈレベルメータが含まれている。図１０は省スペース用の２層ＦＬ管表示パネルを示し、図１０（１）の第１表示層１０と、図１０（２）の第２表示層２０を、図１０（３）に示す如く前後に重ね合わせた構成を有する。第１表示層１０はＬｃｈのレベルを表示する第１領域１０ＡとＲｃｈのレベルを表示する第２領域１０Ｂに分かれている。第２表示層２０はトラック別のタイトル名等の文字表示を行う第１領域２０Ａと、再生中表示用、ポーズ中表示用、録音中表示用、タイトル名入力モードオン表示用、タイトル名サーチモードオン表示用、録音時マニュアルトラック分割モードオン表示用、プログラムモードオン表示用、リピートモードオン表示用を示すセグメント２１〜２８を有する。
例えば、録音時、ユーザは第１表示層１０に表示されたＬｃｈレベルとＲｃｈレベルを見て、適切な録音レベルとなるように調整していた。
【０００４】
【発明が解決しようとする課題】
けれども、ＬｃｈのレベルとＲｃｈのレベルは独立して変化するため、例えば、Ｌｃｈがピークレベルになったのでその値を判読しようとしたとき、直後にＲｃｈがより大きなピークレベルになることが有る。この場合、ユーザはあわててＲｃｈ側に視線を移し、値を判読しようとするが、そのときは既にＲｃｈ側はピークレベルから下がっているので、正確なピーク値は判らない。そこで、Ｒｃｈ側を注視してピークレベルを判読しようと待ち構えていると、今度は、Ｌｃｈが大きなピークレベルになることが有る。このとき、あわててＬｃｈ側に視線を移し、値を判読しようとするが、そのとき既にピークレベルから下がっているので、正確なピーク値は判らない。
このように、ＬｃｈとＲｃｈのレベルが同時に表示されているとき、ピークレベルの判読が難しく、適切な録音レベルへの調整が困難であった。
【０００５】
この問題に対し、（Ｌ＋Ｒ）のレベルを表示することで解決しようとしても、（Ｌ＋Ｒ）のレベルはＬｃｈとＲｃｈのオーディオ信号のレベルとは異なる変化をし、ＬｃｈとＲｃｈのいずれか一方に大きなピークレベルが生じても、（Ｌ＋Ｒ）に大きなピークが生じなかったため、録音レベルを過大に設定してしまうミスを犯す恐れがある。逆に、ＬｃｈとＲｃｈともに、それほど大きなピークが生じていないにも関わらず、（Ｌ＋Ｒ）では大きなピークが生じてしまい、録音レベルを過小に設定しまうミスを犯す恐れがある。録音レベルの調整を誤ると、録音オーディオ信号に歪が生じたり、ダイナミックレンジが小さくなってしまう。本発明は上記した従来技術の問題に鑑み、２ｃｈオーディオ信号のピークレベルを簡単かつ正確に判読できるレベル表示装置を提供することを、その目的とする。
【０００６】
【課題を解決するための手段】
本発明のレベル表示装置は、Ｌｃｈオーディオ信号レベルを検出する第１レベル検出手段と、Ｒｃｈオーディオ信号レベルを検出する第２レベル検出手段と、第１レベル検出手段と第２レベル検出手段の内、レベルの大きい方を判別して値を出力する判別手段と、第１の表示層と第２の表示層を重ね合わせた二層の表示層を有し、第１の表示層にはＬｃｈのレベルを表示する第１の領域とＲｃｈのレベルを表示する第２の領域との２つの領域が並べて配置され、前記２つの領域の片方には第２の表示層の文字表示をする領域が重ね合わされたレベル表示手段と、レベル表示手段に対するＬｃｈオーディオ信号レベルとＲｃｈオーディオ信号レベルのレベル表示制御をするレベル表示制御手段と、動作モードに応じて前記レベル表示制御手段にレベル表示の指示をする制御手段と、を備え、前記制御手段は、前記第２の表示層の前記文字表示をする領域での文字表示を伴う動作モードに移行したとき、前記レベル表示制御手段に指示して前記判別手段の出力に基づくレベル表示を、前記レベル表示手段の前記第１の表示層の前記２つの領域の内、前記第２の表示層の前記文字表示をする領域と重なっていないチャンネルの側の領域にさせ、文字表示をする領域と重なるチャンネル側の領域のレベル表示を消させるようにしたこと、を特徴としている。
これにより、文字表示を伴う動作モードに移行したとき、自動的に、レベル表示を行う第１の表示層の２つの領域の内、第２の表示層で文字表示をする領域と重なるチャンネル側のレベルを表示する領域が消えるので表示文字の視認性を確保できるとともに、Ｌｃｈオーディオ信号に生じたピークも、Ｒｃｈオーディオ信号に生じたピークも１つの表示で判るようにレベル表示がされるので、ユーザは２ｃｈオーディオ信号のピークレベルを簡単かつ正確に知ることができる。
【０００８】
【実施例】
次に、図１を参照して本発明の一実施例を説明する。図１は本発明に係るＭＤレコーダのブロック図である。なお、図１０と同一の構成部分には同一の符号が附してある。
３１は録再兼用のＭＤ（ＭＤ−ＭＯ）であり、ＵＴＯＣ（User's Table Of   contents）エリアには、記録済トラックについて、トラック別のスタートアドレス、エンドアドレス、タイトル名が記録されている（実際にはＵＴＯＣエリアにはディスク名も記録されている）。３２はＭＤ記録／再生部であり、録音動作時、外部から入力したＬ、Ｒ２ｃｈでアナログのオーディオ信号ＡIN（Ｌ）、ＡIN（Ｒ）に対し、Ａ／Ｄ変換、ＡＴＲＡＣ方式に基づく圧縮、誤り検出／訂正符号の附加、インタリーブ等を行ったのち圧縮データをＭＤ３１に記録し、逆に、再生動作時、ＭＤ３１から読み出した圧縮データに対し、ディインタリーブ、誤り検出／訂正、ＡＴＲＡＣ方式に基づく伸長、Ｄ／Ａ変換を行い、Ｌ、Ｒ２ｃｈでアナログのオーディオ信号ＡOUT （Ｌ）、ＡOUT （Ｒ）を出力する。３３はＭＤ３１のセットへの挿入を検出する挿入検出回路、３４は後述するシステムコントローラの制御でＭＤ３１をＭＤ記録／再生部３２にローディング（装填）したり、ＭＤ記録／再生部３２に装填されたＭＤ３１をアンローディングしたりするローディング部である。
【０００９】
３５はメモリであり、図６に示す如く、ＭＤ３１から読み出したＵＴＯＣ情報を記憶するためのＵＴＯＣ情報記憶領域と、プログラムモード下でユーザにより選択されたプログラム曲のＴＮＯをプログラム順に最大でＰ1 からＰ10まで１０曲分記憶できるプログラム情報記憶領域を有している。
３６は２層ＦＬ管表示パネルであり、第１表示層１００と第２表示層２０を重ね合わせることで形成されている（第１表示層１００が前、第２表示層２０が後に重なっている）。第１表示層１００は半透明であり、該第１表示層１００を通して第２表示層２０の表示を見ることができる。
【００１０】
第１表示層１００は上半分の第１領域１００Ａと下半分の第２領域１００Ｂに分かれ、第１領域１００Ａには通常、Ｌｃｈオーディオ信号のレベルが表示され、第２領域１００Ｂには通常、Ｒｃｈオーディオ信号のレベルが表示される。第２表示層２０も上半分の第１領域２０Ａと下半分の第２領域２０Ｂに分かれ、第１領域２０Ａにはタイトル名等の１５桁分のドット文字の表示ができるようになっている。また、第２領域２０Ｂには、再生中を表示するためのセグメント２１、ポーズ中を表示するためのセグメント２２、録音中を表示するためのセグメント２３、タイトル名入力モードオン中を表示するためのセグメント２４、タイトル名サーチモードオン中を表示するためのセグメント２５、録音時マニュアルトラック分割モードオン中を表示するためのセグメント２６、プログラムモードオン中を表示するためのセグメント２７、リピートモードオン中を表示するためのセグメント２８が設けてあり、動作状態、モード状態に応じて点灯、消灯される。
【００１１】
第１表示層１００の第１領域１００Ａと第２表示層２０Ａは前後に重なっており、第１表示層１００の第２領域１００Ｂと第２表示層２０Ｂは前後に重なっている。
なお、第１表示層１００は後述する専用のレベル表示制御部によって表示制御され、第２表示層２０はシステムコントローラによって表示制御される。
【００１２】
３７はオーディオ信号ＡIN（Ｌ）とＡOUT （Ｌ）を加算する加算器、３８はオーディオ信号ＡIN（Ｒ）とＡOUT （Ｒ）を加算する加算器、３９はレベル検出部であり、加算器３７と３８の出力から、Ｌｃｈオーディオ信号レベル、Ｒｃｈオーディオ信号レベル、（Ｌ＋Ｒ）／２のモノラル信号レベルの３つを検出するほか、Ｌｃｈオーディオ信号レベルとＲｃｈオーディオ信号レベルの内、大きい方のレベルもリアルタイムで検出する（Ｌｃｈオーディオ信号レベルとＲｃｈオーディオ信号レベルの内、大きい方のレベルを（Ｌ＆Ｒ）の記号で示す）。
【００１３】
図２はレベル検出部３９の具体的構成を示すブロック図であり、４０は加算器３７と３８の出力をともに１／２の重み付けで加算する加算器、４１〜４３は各々、加算器３７、３８、４０の出力を直流検波することで信号レベルに比例した電圧を得る直流検波回路、４４〜４６は各々、直流検波回路４１〜４３の出力をＡ／Ｄ変換するＡ／Ｄ変換器、４７〜４９は各々、Ａ／Ｄ変換器４４〜４６の出力に対し、対数変換を行ってＬｃｈレベルデータＬＤ（Ｌ）、ＲｃｈレベルデータＬＤ（Ｒ）、モノラルレベルデータＬＤ（Ｌ＋Ｒ）に変換するレベルデータ変換回路であり、ここでは、−∞ｄＢ、−４０ｄＢ、−３０ｄＢ、−２１ｄＢ、−１８ｄＢ、−１５ｄＢ、−１２ｄＢ、−９ｄＢ、−７ｄＢ、−５ｄＢ、−３ｄＢ、−１ｄＢ、０ｄＢ、ＯＶＥＲの１４段階に分けたレベルデータを出力するものとする。
５０はＬｃｈレベルデータＬＤ（Ｌ）とＲｃｈレベルデータＬＤ（Ｒ）を入力してリアルタイムで大小判別し、大きい方の値をレベルデータＬＤ（Ｌ＆Ｒ）として出力する大小判別回路である。
【００１４】
各レベルデータＬＤ（Ｌ）、ＬＤ（Ｒ）、ＬＤ（Ｌ＋Ｒ）、ＬＤ（Ｌ＆Ｒ）の関係を図３に示す。この内、ＬＤ（Ｌ＆Ｒ）は、常に、Ｌｃｈオーディオ信号とＲｃｈオーディオ信号の内、レベルの大きい方に倣って変化している。ステレオダビングする場合、Ｌｃｈオーディオ信号とＲｃｈオーディオ信号をともに適切な録音レベルに調整する必要があるが、（Ｌ＋Ｒ）／２のモノラル信号レベルはＬｃｈとＲｃｈのオーディオ信号のレベルとは異なる変化をし、ＬｃｈとＲｃｈのいずれか一方に大きなピークレベルが生じても、（Ｌ＋Ｒ）／２に大きなピークが生じなかったため、録音レベルを過大に設定してしまうミスを犯す恐れがある。逆に、ＬｃｈとＲｃｈともに、それほど大きなピークが生じていないにも関わらず、（Ｌ＋Ｒ）／２では大きなピークが生じてしまい、録音レベルを過小に設定してしまうミスを犯す恐れがある。
しかし、（Ｌ＆Ｒ）であれば、ＬｃｈとＲｃｈの両者で見て、一番大きなピークレベルが生じたとき、（Ｌ＆Ｒ）のレベルにも同じ値のピークが生じるので、録音レベルを最適に設定することができる。
【００１５】
５１はレベル表示制御部であり、レベル検出部３９から入力した各種レベルデータに基づきユーザの切り換え設定した表示モードに従って第１表示層１００を制御し、第１領域１００Ａと第２領域１００Ｂの両方を用いてＬ，Ｒ２ｃｈのレベル表示をさせたり、第１領域１００Ａは消灯状態とし、第２領域１００Ｂを用いて、Ｌｃｈオーディオ信号レベル、またはＲｃｈオーディオ信号レベル、または（Ｌ＋Ｒ）／２のモノラル信号レベルまたは（Ｌ＆Ｒ）信号レベルを択一的に表示させたりする。
【００１６】
とくに、ユーザが第１自動表示モードに設定しているとき、システムコントローラから強制片側表示への切り換え指令がなければ、第１領域１００Ａと第２領域１００Ｂの両方を用いてＬ，Ｒ２ｃｈのレベル表示をさせ、強制片側表示への切り換え指令が与えられているときは、第１領域１００Ａは消灯状態とし、第２領域１００Ｂを用いて（Ｌ＋Ｒ）／２のモノラル信号レベルを表示させるように切り換える。
また、ユーザが第２自動表示モードに設定しているとき、システムコントローラから強制片側表示への切り換え指令がなければ、第１領域１００Ａと第２領域１００Ｂの両方を用いてＬ，Ｒ２ｃｈのレベル表示をさせ、強制片側表示への切り換え指令が与えられているときは、第１領域１００Ａは消灯状態とし、第２領域１００Ｂを用いて（Ｌ＆Ｒ）信号レベルを表示させる。
レベル表示制御部５１のより具体的な動作は後で述べる。
【００１７】
５２はキー入力部であり、各種キー信号を後述するシステムコントローラに入力する。このキー入力部５２には、ＭＤ３１の再生、録音、ポーズを行わせるためのＰＬＡＹキー、ＲＥＣキー、ポーズキーのほか、ＭＤ３１を排出させるためのイジェクトキー、リピートモードをオン・オフするリピートキー、プログラムモードをオン・オフするプログラムキー、プログラム曲を選択するための数字キー、数字キーとともにタイトル名を入力するために用いる文字キーとエンタキー、タイトル入力モードのオン・オフをするタイトル入力キー、再生時にタイトルサーチモードをオン・オフするタイトルサーチキー、録音時マニュアルトラック分割モードをオン・オフする録音時マニュアルトラック分割モードキー（録音時マニュアルトラック分割モードがオフのときは録音時オートトラック分割モードがオンする）、録音時マニュアルトラック分割モードオン時にトラック分割をするためのトラック分割キー等を有している。
【００１８】
以上は一般的なＭＤレコーダに共通のキーであるが、この実施例では、第１表示層１００の表示モードを切り換えるための表示モード切り換えキーが附加されている。表示モード切り換えキーが１回押される度に、レベル表示制御部５１は、第１自動表示モード、第２自動表示モード、ノーマル表示モード、片側Ｌ表示モード、片側Ｒ表示モード、片側モノラル表示モード、片側（Ｌ＆Ｒ）表示モードの各表示モードに択一的に切り換え設定する。ノーマル表示モードの場合、レベル表示制御部５１は第１領域１００Ａと第２領域１００Ｂの両方を用いてＬ，Ｒ２ｃｈのレベル表示をさせ、片側Ｌ、片側Ｒ、片側モノラル、片側（Ｌ＆Ｒ）の各表示モードの場合は、第１領域１００Ａは消灯状態とし、第２領域１００Ｂを用いて、Ｌｃｈオーディオ信号レベル、Ｒｃｈオーディオ信号レベル、
（Ｌ＋Ｒ）／２のモノラル信号レベル、（Ｌ＆Ｒ）信号レベルを択一的に表示させる。
【００１９】
５３はキー入力部５２での各種キー操作に従いＭＤレコーダの全体的な動作制御を司るマイコン構成のシステムコントローラであり、ＭＤ３１のローディング／アンローディング、ＭＤ３１からのＵＴＯＣ情報の読み出し、ＭＤ３１へのＵＴＯＣ情報の書き込み、ＭＤ３１の再生及び録音、タイトル名入力、タイトル名サーチ、自動またはマニュアル操作による録音時トラック分割等の各種制御処理を実行する。また、システムコントローラ５３は、２層ＦＬ管表示パネル３６の内、第２表示層２０に対する表示制御をし、動作状態、各種モードのオン状態、タイトル名などを表示させる。
更に、システムコンロトーラ５３はタイトル名入力モードがオンしているときとタイトル名サーチモードがオンしている間、片側強制表示指令をレベル表示制御部５１に出力する機能も有している。
システムコントローラ５３は、録音時オートトラック分割モードがオンしているとき、レベル検出部３９から入力したモノラルレベルデータＬＤ（Ｌ＋Ｒ）を監視し、オーディオ信号の（Ｌ＋Ｒ）／２のレベルが一定以下の無音となった状態が一定時間以上続いたとき、次に、オーディオ信号の（Ｌ＋Ｒ）／２のレベルが一定以上に上がった所で、自動的に以降を新たなトラックに分割させる。
【００２０】
次に、図４〜図９を参照して上記した実施例の動作を説明する。図４はレベル表示制御部５１の動作を示すフローチャート、図５はＭＤの記録内容の説明図、図６と図７はメモリ３５に記憶されたデータの説明図、図８と図９は２層ＦＬ管表示パネル３６の表示状態の説明図である。
【００２１】
ＭＤのローディング／アンローディング
セットに図５（１）に示す如くＴＮＯ１〜ＴＮＯ３の３つのトラックが記録されたＭＤ３１（ＭＤ−ＭＯ）を挿入すると、挿入検出回路３３から挿入検出信号が出力され、該信号を入力したシステムコントローラ５３は、ローディング部３４を制御してローディングを行わせ、ＭＤ記録／再生部３２に装填させる。そして、ＭＤ記録／再生部３２を制御してＭＤ１のＵＴＯＣエリアに記録されたＵＴＯＣ情報を読み出させ、メモリ３５のＵＴＯＣ情報記憶領域に書き込む（図６参照）。
【００２２】
以降、システムコントローラ５３はメモリ３５のＵＴＯＣ情報を参照して、所望トラックの再生制御、新たなトラックの録音制御、タイトル名表示、タイトル名サーチなどを行う。また、タイトル名の入力、トラック分割もメモリ３５のＵＴＯＣ情報を対象にして行う。そして、ユーザがイジェクト操作をしたとき、ＭＤ記録／再生部３２を制御してメモリ３５のＵＴＯＣ情報をＭＤ３１のＵＴＯＣエリアに記録させたあと、ローディング部３４を制御してアンローディングを行わせる。
【００２３】
通常再生
ＭＤ３１がＭＤ記録／再生部３２に装填されると、システムコントローラ５３はトラックモードをオンし、プログラムモードとリピートモードをオフし、マニュアルトラック分割モードをオフする。第２表示層２０の各セグメント２１〜２８は全て消灯させ、第１領域２０Ａも全て消す（実際には、ＵＴＯＣ情報中にディスク名があれば、第１領域２０Ａにディスク名を表示させる）。
この状態でＰＬＡＹキーが押されると、システムコントローラ５３はメモリ３５のＵＴＯＣ情報を参照して、ＭＤ記録／再生部３２を制御し、最小ＴＮＯ１のスタートアドレスＡをサーチさせたあと再生を開始させる。そして、第２表示層２０のセグメント２１を点灯させて再生動作中であることを示し、ＴＮＯ１のタイトル名「ＭＩＳＴＹ」を第１領域２０Ａに文字表示させる。ＭＤ記録／再生部３２から入力したアドレス情報によりＴＮＯ１の再生が終わったことが判れば、同様にしてＴＮＯ２、ＴＮＯ３と続けて再生させる。ＴＮＯ２の再生中、タイトル名「ＴＥＮＤＥＲＬＹ」が表示され、ＴＮＯ３の再生中、タイトル名「ＴＥＡＦＯＲ  ＴＷＯ」が表示される。ＴＮＯ３の再生が終われば、再生動作を停止させ、セグメント２１を消灯させ、タイトル名表示も消す（実際には、ＵＴＯＣ情報中にディスク名があれば、第１領域２０Ａにディスク名を表示させる）。
【００２４】
プログラム再生
これと異なり、プログラムキーが押されると、システムコントローラ５３はプログラムモードとなり、セグメント２７を点灯させてプログラムモードがオン中であることを示し、ユーザが数字キーで例えば、演奏希望曲のＴＮＯである「１」と「３」を入力すると、メモリ３５のプログラム情報記憶領域にＰ1 ＝１、  Ｐ2 ＝３としてプログラム曲のＴＮＯを登録する（図６参照）。このあと、ＰＬＡＹキーを押すと、システムコントローラ５３はメモリ３５を参照してまずＰ1 のＴＮＯに対応するスタートアドレスＡをサーチさせたあと再生を開始させる。このとき、第２表示層２０のセグメント２１を点灯させて再生動作中であることを示し、ＴＮＯ１のタイトル名を第１領域２０Ａに文字表示させる。ＴＮＯ１の再生が終われば、Ｐ2 に係るＴＮＯ３を再生させる。ＴＮＯ３の再生中、対応するタイトル名を表示させ、再生が終われば、再生動作を停止させ、セグメント２１を消灯し、タイトル名表示も消す（実際には、ＵＴＯＣ情報中にディスク名があれば、第１領域２０Ａにディスク名を表示させる）。プログラムキーが再度押されれば、プログラムモードをオフし、セグメント２７を消す。
【００２５】
リピート
ＰＬＡＹキーが押される前に、リピートキーが押されると、システムコントローラ５３はリピートモードをオンし、セグメント２８を点灯させて、リピートモードオン中であることを示す。このあと、プロクラムモードオフ状態でＰＬＡＹキーが押されると、システムコントローラ５３は、ＭＤ３１の最後のトラックまで再生が終わったとき、最初のトラックに戻って再生を継続させる。また、プロクラムモードオン状態でＰＬＡＹキーが押されたときは、最後のプログラム曲の再生が終わったあと、最初のプログラム曲に戻って再生を継続させる。リピートキーが再度押されれば、リピートモードをオフし、セグメント２８を消す。
【００２６】
再生中のレベル表示
なお、以上の各再生動作状態では、システムコントローラ５３はレベル表示制御部５１に対し片側強制表示の指令は与えない。レベル表示制御部５１は電源オンで第１自動表示モードに設定しており（図４のステップＳ１〜Ｓ３）、片側強制表示指令が無いとき、常に、ＭＤ１の再生時にレベル検出部３９から出力されるＬｃｈレベルデータＬＤ（Ｌ）に基づき第１領域を制御してＬｃｈのレベル表示をさせ、また、レベル検出部３９から出力されるＲｃｈレベルデータＬＤ（Ｒ）に基づき第２領域を制御してＲｃｈのレベル表示をさせる。よって、例えば、ＴＮＯ３の再生時、２層ＦＬ管表示パネル３６の表示状態は図１０と同様になり、Ｌ、Ｒ独立したレベル表示と、タイトル名、動作状態、モード状態を全て一目で視認することができる。
【００２７】
表示モード切り換えキーを１回押すと、第２自動表示モードになるが（ステップＳ４、Ｓ５、Ｓ２、Ｓ６）、このときも、システムコントローラ５３からの片側強制表示の指令が無ければ、常に、Ｌ、Ｒ独立したレベル表示を行わせる。
若し、再生中のトラックのタイトル名を確実に視認したい場合、表示モード切り換えキーを更に、２回〜５回押して片側Ｌ表示モード、片側Ｒ表示モード、片側モノラル表示モード、片側（Ｌ＆Ｒ）表示モードに切り換えれば（ステップＳ７〜Ｓ１０）、レベル表示制御部５１は第１領域１００Ａを消灯し、第２領域１００Ｂだけに、各々、ＬｃｈレベルデータＬＤ（Ｌ）に基づくＬｃｈレベル、ＲｃｈレベルデータＬＤ（Ｒ）に基づくＲｃｈレベル、モノラルレベルデータＬＤ（Ｌ＋Ｒ）に基づく（Ｌ＋Ｒ）／２のモノラルレベル、（Ｌ＆Ｒ）レベルデータＬＤ（Ｌ＆Ｒ）に基づく（Ｌ＆Ｒ）レベルを表示させるので、タイトル名をレベル表示に邪魔されずに見ることができ、見誤りがなくなり、また、オーディオ信号レベルに関する情報も得ることができる。片側モノラル表示モードに切り換えた状態で、ＴＮＯ２を再生したときの第１表示層１００の表示状態、第２表示層２０の表示状態、第１表示層１００と第２表示層２０の重ね合わせ表示状態を図８（１）〜（３）に示す。
【００２８】
とくに、片側（Ｌ＆Ｒ）表示モードに切り換え、第２領域１００Ｂに（Ｌ＆Ｒ）レベル表示をさせれば、ＬｃｈとＲｃｈの両者で見た正しいピークレベルが判るので、ＭＤ３１からテープにダビングしようとする場合、録音レベル調整を正しく行うことができ、便利である。
【００２９】
録音
録音中の自動トラック分割を禁止したい場合、録音時マニュアルトラック分割モードキーを押す。すると、システムコンロトーラ５３は録音時マニュアルトラック分割モードをオンし、セグメント２６を点灯させてマニュアルトラック分割モードがオンしていることを示す。この状態でＲＥＣキーが押されると、録音モードとなり、メモリ３５のＵＴＯＣ情報を参照して、ＭＤ記録／再生部３２を制御し、最大ＴＮＯ３のエンドアドレスＦの次のアドレス（Ｆ＋１）をサーチさせたあと録音を開始させる。このとき、第２表示層２０のセグメント２３を点灯させて録音中であるとを示し、メモリ３５のＵＴＯＣ情報記憶領域には、ＴＮＯ３に続くＴＮＯ４のスタートアドレスとしてＧ＝Ｆ＋１を書き込む（図７参照）。ＴＮＯ４のタイトル名はまだ無いので、システムコンロトーラ５３は「ＮＥＷ  ＴＲＡＣＫ」の文字を第１領域２０Ａに表示させる。
録音を停止させるためＳＴＯＰキーを押すと、システムコントローラ５３はＭＤ記録／再生部３２を制御し、録音動作を停止させ、セグメント２３を消灯させる。そして、録音動作の停止時のＭＤ３１への記録アドレスＨをメモリ３５のＵＴＯＣ情報記憶領域に、ＴＮＯ３に続くＴＮＯ４のエンドアドレスとして書き込む（図７参照）。
【００３０】
録音中のレベル表示
このような録音動作状態でも、システムコントローラ５３はレベル表示制御部５１に対し強制片側表示の指令は出力しない。よって、表示モード切り換えキーの操作により、ユーザが第１自動表示モード、第２自動表示モードのいずれに切り換えていても、レベル表示制御部５１はＭＤ１への録音時にレベル検出部３９から出力されるＬｃｈレベルデータＬＤ（Ｌ）に基づき第１領域を制御してＬｃｈのレベル表示をさせ、また、レベル検出部３９から出力されるＲｃｈレベルデータＬＤ（Ｒ）に基づき第２領域を制御してＲｃｈのレベル表示をさせる。よって、Ｌ、Ｒ独立したレベル表示と、タイトル名、動作状態、モード状態を全て一目で視認することができる。
【００３１】
若し、ＬｃｈとＲｃｈの両者で見たオーディオ信号レベルの正確なピークを知りたい場合、片側（Ｌ＆Ｒ）表示モードに切り換えれば、レベル表示制御部５１は第１領域１００Ａを消灯し、第２領域１００Ｂだけに第２領域１００Ｂに（Ｌ＆Ｒ）レベル表示をさせるので、ＬｃｈとＲｃｈの両者で見た正しいピークレベルが判り、テープからＭＤ３１へダビングしようとする場合、録音レベル調整を正しく行うことができ、便利である。
【００３２】
録音中のタイトル名入力
表示モードが第２自動表示モードに切り換えられているものとして、若し、ユーザがＴＮＯ４の録音中にタイトル名を入力したい場合、タイトル名入力キーを押すと、システムコントローラ５３はタイトル名入力モードとなり、セグメント２４を点灯してタイトル名入力モードオン中であることを示す。そして、第１領域２０Ａの先頭桁にカーソルマーク（図９の符号Ｋ参照）を表示させる。ユーザが数字キーと文字キーにより、所望タイトル名を１文字ずつ、「Ｓ」、「Ａ」、「Ｔ」、「Ｉ」、「Ｎ」、「  （スペース）」、「Ｄ」、「Ｏ」、「Ｌ」、「Ｌ」と入力すると、システムコントローラ５３は第１領域２０Ａに「ＳＡＴＩＮ  ＤＯＬＬ」と表示させる（カーソルマークは１１文字目に移る）。このあと、ＥＮＴＥＲキーを押すと、システムコントローラ５３はタイトル名入力モードをオンした時点での録音ＴＮＯ（＝４）に対応するタイトル名として、メモリ３５のＵＴＯＣ情報記憶領域に登録する（図７参照）。そして、タイトル名入力モードをオフし、セグメント２４を消灯する。以降、ＴＮＯ４の録音中は今回入力したタイトル名表示が続けられる。
【００３３】
タイトル名入力時のレベル表示
タイトル名入力モードがオン中、システムコンロトーラ５３は片側強制表示指令をレベル表示制御部５１に与える。よって、第２自動表示モードに設定しているレベル表示制御部５１は、片側強制表示指令が与えられている間、第１領域１００Ａは消し、第２領域１００ＢにレベルデータＬＤ（Ｌ＆Ｒ）に基づくレベル表示状態に切り換える。このときの第１表示層１００の表示状態、第２表示層２０の表示状態、第１表示層１００と第２表示層２０の重ね合わせ表示状態を図９（１）〜（３）に示す。このため、ユーザは、何らの表示モード切り換え操作をしなくても、入力中のタイトル名という重要な情報を確実に視認でき誤入力しなくて済み、また、ＬｃｈとＲｃｈの両者で見たオーディオ信号レベルの正確なピークを知ることができ、テープからＭＤ３１へダビングしようとする場合に録音レベル調整を正しく行うことができる。
しかも、タイトル名の入力が終わり、タイトル名入力モードがオフすると、システムコントローラ５３が片側強制表示指令の出力を停止するので、レベル表示制御部５１は、第１領域１００ＡにＬｃｈレベルを表示させ、第２領域１００ＢにＲｃｈレベルを表示させるので、切り換え操作をしなくても２ｃｈレベル表示状態に戻すことができる。
【００３４】
なお、予め、第１自動表示モードに切り換えてあれば（ステップＳ３）、タイトル名入力中に第２領域１００Ｂに（Ｌ＋Ｒ）／２のモノラルレベルを表示させることができ、ノーマル表示モードに切り換えておけば（ステップＳ１１）、レベル表示制御部５１は、片側強制表示指令の有無に関わらず、第１領域１００ＡにＬｃｈレベルを表示させ、第２領域１００ＢにＲｃｈレベルを表示させるので、タイトル名入力中も２ｃｈレベル表示状態のままとできる。
また、タイトル名入力キーを押す前に、マニュアル操作で片側Ｌ表示モード（ステップＳ７）、片側Ｒ表示モード（ステップＳ８）、片側モノラル表示モード（ステップＳ９）、片側（Ｌ＆Ｒ）表示モード（ステップＳ１０）のいずれかに切り換えれば、レベル表示制御部５１は第１領域１００Ａを消灯し、第２領域１００ＢだけにＬｃｈレベル、Ｒｃｈレベル、（Ｌ＋Ｒ）／２のモノラルレベル、（Ｌ＆Ｒ）レベルを択一的に表示させるので、入力タイトル名をレベル表示に邪魔されずに見ることができ、また、オーディオ信号に関するレベル情報も得ることができる。
【００３５】
再生中のタイトル名入力
なお、録音中にタイトル名入力しなかった場合でも、ＴＮＯ４の録音後、該ＴＮＯ４の再生中のタイトル名入力キーを押せば、タイトル名入力モードがオンし、前述と同様にしてタイトル名の入力をすることができる。この再生中のタイトル名入力モードオン中も、システムコトローラ５３は片側強制表示指令を出力するので、予め、第２自動表示モードに切り換えてあれば（ステップＳ６）、タイトル名入力モードオン中、レベル表示制御部５１は、第１領域１００Ａを消し、第２領域１００Ｂに（Ｌ＆Ｒ）レベルを表示させるので、ユーザは何らの切り換え操作をしなくても、入力中のタイトル名を間違いなく視認でき誤操作を回避でき、また、ＭＤ３１からテープへのダビング中であれば録音レベルを的確に最適調整することができる。そして、タイトル名入力モードがオフすれば、元の２ｃｈレベル表示状態に自動的に復帰するので切り換え操作をする手間が省ける。予め、第１自動表示モードに切り換えてあれば（ステップＳ３）、タイトル名入力モードオン中、レベル表示制御部５１は、第１領域１００Ａを消し、第２領域１００Ｂに（Ｌ＋Ｒ）／２のモノラルレベルを表示させる。
【００３６】
再生中のタイトル名サーチ
ＴＮＯ１〜４が記録済であるとして（図７参照）、例えば、プログラムモードオフ状態でＴＮＯ３の再生中に、他の所望曲の再生へ移行させたい場合、タイトル名サーチキーを押す。すると、システムコンロトーラ５３は、タイトル名サーチモードをオンし、セグメント２４と２５を点灯してタイトル名サーチモードオン中を示す。そして、現在の再生動作は継続しながら、タイトル名の表示については、プログラムモードがオフしているときは、ＴＮＯ３、ＴＮＯ４、ＴＮＯ１、ＴＮＯ２、ＴＮＯ３、・・の順に各トラックのタイトル名を一定時間ずつ切り換え表示させる。ユーザが例えば、ＴＮＯ２を所望するとき、「ＴＥＮＤＥＲＬＹ」と表示された所で、ＰＬＡＹキーを押すと、システムコントローラ５３はタイトル名サーチモードをオフし、セグメント２４と２５を消灯する。そして、ユーザの選択したタイトル名に対応するＴＮＯ２のスタートアドレスＣをサーチさせて、再生を開始させる。
【００３７】
このタイトル名サーチモードオン中も、システムコトローラ５３は片側強制表示指令を出力するので、予め、第２自動表示モードに切り換えてあれば（ステップＳ３）、タイトル名サーチモードオン中、レベル表示制御部５１は、第１領域１００Ａを消し、第２領域１００Ｂに（Ｌ＆Ｒ）レベルを表示させるので、ユーザは何らの切り換え操作をしなくても、サーチ中のタイトル名を間違いなく視認でき誤操作を回避でき、また、ＭＤ３１からテープへのダビング中であれば録音レベルを的確に最適調整することができる。そして、タイトル名サーチモードがオフすれば、元の２ｃｈレベル表示状態に自動的に復帰するので手間が省ける。予め、第１自動表示モードに切り換えてあれば（ステップＳ３）、タイトル名サーチモードオン中、レベル表示制御部５１は、第１領域１００Ａを消し、第２領域１００Ｂに（Ｌ＋Ｒ）／のモノラルレベルを表示させる。
【００３８】
更に、予め、ノーマル表示モードに切り換えておけば（ステップＳ１１）、再生中にタイトル名入力モードがオンしたり、タイトル名サーチモードがオンしても、第１表示層１００に２ｃｈレベル表示を継続させることができる。逆に、予め、タイトル名入力モードやタイトル名サーチモードをオンする前に、マニュアル操作で片側Ｌ表示モード（ステップＳ７）、片側Ｒ表示モード（ステップＳ８）、片側モノラル表示モード（ステップＳ９）、片側（Ｌ＆Ｒ）表示モード（ステップＳ１０）のいずれかに切り換えれば、レベル表示制御部５１は第１領域１００Ａを消灯し、第２領域１００ＢだけにＬｃｈレベル、Ｒｃｈレベル、（Ｌ＋Ｒ）／２のモノラルレベル、（Ｌ＆Ｒ）レベルを択一的に表示させるので、入力タイトル名をレベル表示に邪魔されずに見ることができ、また、オーディオ信号に関するレベル情報も得ることができる。
【００３９】
なお、上記した実施例では、第１表示層を前、第２表示層を後に重ね合わせたが、反対に第２表示層を前、第１表示層を後に重ね合わせても良い。
また、第２表示層の第１領域にはタイトル名を表示させるようにしたが、対応するＴＮＯと一緒に、例えば、「ＴＮＯ１  ＭＩＳＴＹ」の如く表示させるようにしても良く、更に、タイトル名だけの表示とＴＮＯとタイトル名の組み合わせた表示とをマニュアル操作で切り換えられるようにしても良い。
【００４０】
また、ＭＤに対し録音・再生の可能なＭＤレコーダにレベル表示装置が内蔵されている場合を例に挙げたが、再生専用のＭＤプレーヤでも良く、更に、ＣＤプレーヤ、ＤＶＤプレーヤ等に内蔵された装置であっても、または、オーディオシステムと組み合わせて用いられる単体のレベル表示装置であっても良い。
【００４１】
【発明の効果】
本発明によれば、文字表示を伴う動作モードに移行したとき、自動的に、レベル表示を行う第１の表示層の２つの領域の内、第２の表示層で文字表示をする領域と重なるチャンネル側のレベルを表示する領域が消えるので表示文字の視認性を確保できるとともに、Ｌｃｈオーディオ信号に生じたピークも、Ｒｃｈオーディオ信号に生じたピークも１つの表示で判るようにレベル表示がされるので、ユーザは２ｃｈオーディオ信号のピークレベルを簡単かつ正確に知ることができる。
【図面の簡単な説明】
【図１】本発明の一実施例に係るＭＤレコーダのブロック図である。
【図２】レベル検出部のブロック図である。
【図３】レベル検出部で検出される各種レベルデータを示す線図である。
【図４】レベル表示制御部の動作を示すフローチャートである。
【図５】ＭＤの記録内容の説明図である。
【図６】メモリの記憶内容の説明図である。
【図７】メモリの記憶内容の説明図である。
【図８】２層ＦＬ管表示パネルの表示状態の説明図である。
【図９】２層ＦＬ管表示パネルの表示状態の説明図である。
【図１０】２層ＦＬ管表示パネルの表示例の説明図である。
【符号の説明】
２０  第２表示層
２１、２２、２３、２４、２５、２６、２７、２８  セグメント
２０Ａ、１００Ａ  第１領域        ２０Ｂ、１００Ｂ  第２領域
３１  ＭＤ                        ３２  ＭＤ記録／再生部
３６  ２層ＦＬ管表示パネル        ３９  レベル検出部
５１  レベル表示制御部            ５２  キー入力部
５３  システムコントローラ
【図１】
0003639402.tif 000002
【図２】
0003639402.tif 000003
【図３】
0003639402.tif 000004
【図４】
0003639402.tif 000005
【図５】
0003639402.tif 000006
【図６】
0003639402.tif 000007
【図７】
0003639402.tif 000008
【図８】
0003639402.tif 000009
【図９】
0003639402.tif 000010
【図１０】
0003639402.tif 000011